(57)【要約】【課題】チルト式位相シフトホログラフィ法を用いた場合に、所望の干渉パターンを得るための光学系の調整を容易に行いえるようにすること。【解決手段】  被測定物体１０が存在しない状態で、ＣＣＤ７の受光面に形成された干渉パターンが記録されたときに、干渉パターンにおける濃淡度合が同一となるべき画素の画素値を抽出して、その抽出された画素の画素値のみから画像を再構築した場合に、その再構築画像の一方向に沿った複数の画素の画素値のラインプロファイル周波数ＦＮを算出し、そのラインプロファイル周波数ＦＮが目標値となるように、参照光調整ミラー４の回転方向１６の角度調整を行なう。このように同一の画素値を出力すべき複数の画素の画素値から算出されるラインプロファイル周波数を用いることにより、参照光８の入射角度が設定値に一致するように参照光調整ミラー４の角度調整することが容易となる。【選択図】図２
2010145843.tif 000002
【特許請求の範囲】
【請求項１】
複数の位相値を有する参照光と、被測定物体に向けて照射される物体光とを干渉させることによって、撮像手段の受光面に形成される干渉パターンを前記被測定物体の画像情報として記録する干渉画像記録装置において、
入射された光を、前記参照光として前記撮像手段の受光面に向けて反射するとともに、反射面の回転角度によって、前記受光面への前記参照光の入射角度を変化させるミラーと、
前記ミラーの反射面の回転角度を調整する調整手段と、
前記被測定物体が存在しない状態で前記撮像手段の受光面に形成された干渉パターンが記録されたときに、干渉パターンにおける濃淡度合が同一となるべき画素の画素値を抽出して、その抽出された画素の画素値のみから画像を再構築した場合に、その再構築画像の一方向に沿った複数の画素の画素値のラインプロファイル周波数を算出し、そのラインプロファイル周波数が目標値となるように、前記調整手段を介して前記ミラーの反射面の回転角度を制御する制御手段と、を備えることを特徴とする干渉画像記録装置。
【請求項２】
前記撮像手段の受光面には、多数の画素が２次元配列されており、当該２次元配列の一配列方向をＸ軸方向、その一配列方向に直交する配列方向をＹ軸方向として定義したときに、前記被測定物体が存在しない状態で前記撮像手段の受光面に干渉パターンが形成されたとき、Ｙ軸方向に沿って配列された各画素には、位相差が同一となる参照光と物体光とが入射されるとともに、Ｘ軸方向に隣接する各画素には、所定の繰り返し周期で位相差が異なる参照光と物体光とが入射されることを特徴とする請求項１に記載の干渉画像記録装置。
【請求項３】
前記制御手段は、前記Ｙ軸方向に沿って配列された画素列の画素値を、Ｘ軸方向に沿って前記所定の繰り返し周期毎に抽出し、その抽出順序に従って画素列の画素値を組み合わせることによって前記再構築画像とするものであって、前記ラインプロファイル周波数として、前記Ｘ軸方向に沿った複数の画素の画素値のラインプロファイル周波数を算出することを特徴とする請求項２に記載の干渉画像記録装置。
【請求項４】
前記制御手段は、前記再構築画像において、前記Ｘ軸方向に沿って並んだ任意の一列の画素列の画素値から、前記ラインプロファイル周波数を算出することを特徴とする請求項３に記載の干渉画像記録装置。
【請求項５】
前記制御手段は、前記再構築画像において、前記Ｙ軸方向に沿って並んだ画素列毎に平均画素値を算出し、前記Ｘ軸方向に沿って各画素列毎の前記平均画素値のラインプロファイル周波数を算出することを特徴とする請求項３に記載の干渉画像記録装置。
【請求項６】
前記制御手段は、参照光と物体光との異なる位相差の中で、任意の１つだけの位相差の参照光と物体光とが入射される画素の画素値からなる再構築画像に関して、前記ラインプロファイル周波数を算出することを特徴とする請求項２乃至５のいずれかに記載の干渉画像記録装置。
【請求項７】
前記制御手段は、前記被測定物体が存在しない状態で前記撮像手段の受光面に形成される干渉パターンを記録したときに、その干渉パターンにおける干渉縞が、前記Ｙ軸方向に対して傾斜しているか否かを判別し、傾斜している場合には、前記ミラーの回転角度の調整方向と直交する方向において、前記ミラーの反射面のあおり角度の調整を行なうことを特徴とする請求項２乃至６のいずれかに記載の干渉画像記録装置。
【請求項８】
複数の位相値を有する参照光と、被測定物体に向けて照射される物体光とを干渉させることによって、撮像手段の受光面に形成される干渉パターンを前記被測定物体の画像情報として記録する干渉画像記録装置における光学系調整方法であって、
前記干渉画像記録装置は、
入射された光を、前記参照光として前記撮像手段の受光面に向けて反射するとともに、反射面の回転角度によって、前記受光面への前記参照光の入射角度を変化させるミラーと、
前記ミラーの反射面の回転角度を調整する調整手段と、を備え
前記被測定物体が存在しない状態で前記撮像手段の受光面に形成された干渉パターンが記録されたときに、干渉パターンにおける濃淡度合が同一となるべき画素の画素値を抽出する抽出ステップと、
抽出された画素の画素値のみから画像を再構築した場合に、その再構築画像の一方向に沿った複数の画素の画素値のラインプロファイル周波数を算出する算出ステップと、
前記ラインプロファイル周波数と目標値とを比較し、前記ラインプロファイル周波数が目標値となるまで、前記調整手段を介して前記ミラーの反射面の回転角度を調整する回転角度調整ステップと、を備えることを特徴とする干渉画像記録装置における光学系調整方法。
【請求項９】
前記撮像手段の受光面には、多数の画素が２次元配列されており、当該２次元配列の一配列方向をＸ軸方向、その一配列方向に直交する配列方向をＹ軸方向として定義したときに、前記被測定物体が存在しない状態で前記撮像手段の受光面に干渉パターンが形成されたとき、Ｙ軸方向に沿って配列された各画素には、位相差が同一となる参照光と物体光とが入射されるとともに、Ｘ軸方向に隣接する各画素には、所定の繰り返し周期で位相差が異なる参照光と物体光とが入射されることを特徴とする請求項８に記載の干渉画像記録装置における光学系調整方法。
【請求項１０】
前記被測定物体が存在しない状態で前記撮像手段の受光面に形成される干渉パターンを記録したときに、その干渉パターンにおける干渉縞が、前記Ｙ軸方向に対して傾斜しているか否かを判別するステップと、
前記干渉縞が前記Ｙ軸方向に対して傾斜している場合には、当該干渉縞が前記Ｙ軸方向と平行に伸びるように、前記ミラーの回転角度の調整方向と直交する方向において、前記ミラーの反射面のあおり角度の調整を行なうあおり角度調整ステップと、をさらに備えることを特徴とする請求項９に記載の干渉画像記録装置における光学系調整方法。
【請求項１１】
前記あおり角度調整ステップにより前記ミラーのあおり角度の調整が行なわれた後に、前記回転角度調整ステップにより前記ミラーの回転角度の調整が行なわれることを特徴とする請求項１０に記載の干渉画像記録装置の光学系調整方法。
【発明の詳細な説明】
【技術分野】
【０００１】
本発明は、チルト式位相シフトホログラフィ法を用いた干渉画像記録装置及び、その干渉画像記録装置における光学系の調整方法に関する。
【背景技術】
【０００２】
ホログラフィ法を用いた干渉画像記録再生装置は、３次元物体への光照射によって得られる物体光と、参照光との干渉パターンをＣＣＤ等の撮像素子で記録し、記録された干渉パターンから３次元物体の像を再生するものである。
【０００３】
特に、チルト式位相シフトホログラフィ法を用いた装置は、撮像素子の受光面に対して参照光を斜めに入射させることにより、参照光位相が異なる複数の干渉パターンを同時に記録するものである（例えば、特許文献１参照）。このように、参照光位相が異なる複数の干渉パターンを同時に記録することにより、３次元物体の再生像を得るために必要が情報を一回の干渉パターンの記録で得ることができる。そのため、例えば、噴霧等の移動する微粒子を計測することも可能となる。
【特許文献１】特開２００８−１８５６９０号公報
【発明の開示】
【発明が解決しようとする課題】
【０００４】
上述した特許文献１においては、例えば、撮像素子をなす多数の画素が２次元配列された受光面において、互いに隣り合う画素の位相値が、π／２ずつずれるように、参照光の入射角が設定される。
【０００５】
ここで、参照光の入射角は、レーザを参照光と物体光とに分けるビームスプリッタを通過した参照光を受光面に向けて反射するミラーの角度によって調整される。具体的な調整方法としては、所望の干渉パターンに対応する各画素毎の濃淡値に対応する電気信号値（画素値）を目標値とし、各画素の画素値がその目標値に一致するように、ミラーが傾動駆動される。
【０００６】
しかしながら、受光面における各画素は所定の大きさ（たとえば画素サイズ７．４μｍ）を有し、各画素は、それぞれの画素範囲に入射されている光の濃淡度合に応じた画素値を出力する。このような各画素の分解能の問題から、参照項の位相値の繰り返し周期が、各画素の間隔に一致していない場合であっても、目標値どおりの画素値を出力する画素もあれば、目標値とは異なる画素値を出力する画素もあるなど、画素値と目標値とは、種々の関係が混在することになる。このため、例えば、ある画素の画素値が目標値に一致するように、ミラーの角度を調整しても、他の画素の画素値は却って目標値からずれてしまうなど、各画素の画素値をそれぞれの目標値に一致させるように調整を行なうことは非常に困難である。
【０００７】
本発明は、上述した点に鑑みてなされたものであり、チルト式位相シフトホログラフィ法を用いた場合に、所望の干渉パターンを得るための調整をより容易に行うことが可能な干渉画像記録装置、及びその干渉画像記録装置における光学系の調整方法を提供することを目的とする。
【課題を解決するための手段】
【０００８】
上記目的を達成するために、請求項１に記載の発明は、複数の位相値を有する参照光と、被測定物体に向けて照射される物体光とを干渉させることによって、撮像手段の受光面に形成される干渉パターンを被測定物体の画像情報として記録する干渉画像記録装置において、
入射された光を、参照光として撮像手段の受光面に向けて反射するとともに、反射面の回転角度によって、受光面への参照光の入射角度を変化させるミラーと、
ミラーの反射面の回転角度を調整する調整手段と、
被測定物体が存在しない状態で撮像手段の受光面に形成された干渉パターンが記録されたときに、干渉パターンにおける濃淡度合が同一となるべき画素の画素値を抽出して、その抽出された画素の画素値のみから画像を再構築した場合に、その再構築画像の一方向に沿った複数の画素の画素値のラインプロファイル周波数を算出し、そのラインプロファイル周波数が目標値となるように、調整手段を介してミラーの反射面の回転角度を制御する制御手段と、を備えることを特徴とする。
【０００９】
上述したように、請求項１に記載の発明では、干渉パターンにおける濃淡度合が同一となるべき画素の画素値に基づいて、ラインプロファイル周波数を算出し、このラインプロファイル周波数が目標値となるように、ミラーの反射面の回転角度を制御する。参照光の入射角度が設定値に一致していれば、干渉パターンにおける濃淡度合が同一となるべき画素の画素値は同一となり、ラインプロファイル周波数は原則としてゼロになるはずである。従って、算出したラインプロファイル周波数がある周波数となっている場合には、参照光の入射角度が設定値からずれているとみなすことができ、この場合、ラインプロファイル周波数がゼロに近づくように、ミラーの反射面の回転角度が制御される。このように、請求項１の発明では、同一の画素値を出力すべき複数の画素の画素値から算出されるラインプロファイル周波数を用いているので、参照光の入射角度が設定値に一致するようにミラーの反射面の角度を調整することが容易となる。
【００１０】
請求項２に記載したように、撮像手段の受光面には、多数の画素が２次元配列されており、当該２次元配列の一配列方向をＸ軸方向、その一配列方向に直交する配列方向をＹ軸方向として定義したときに、被測定物体が存在しない状態で撮像手段の受光面に干渉パターンが形成されたとき、Ｙ軸方向に沿って配列された各画素には位相差が同一となる参照光と物体光とが入射されるとともに、Ｘ軸方向に隣接する各画素には、所定の繰り返し周期で位相差が異なる参照光と物体光とが入射されることが好ましい。この場合、干渉パターンは、Ｙ軸方向に同じ濃淡度合の筋が伸び、Ｘ軸方向においてはその筋の濃淡度合が変化する縞模様となる。このような縞模様を呈する干渉パターンを用いることにより、干渉パターンの模様の単純さから、より容易にミラーの回転角度の調整を行なうことができる。
【００１１】
請求項３に記載したように、制御手段は、Ｙ軸方向に沿って配列された画素列の画素値を、Ｘ軸方向に沿って所定の繰り返し周期毎に抽出し、その抽出順序に従って画素列の画素値を組み合わせることによって再構築画像とするものであって、ラインプロファイル周波数として、Ｘ軸方向に沿った複数の画素の画素値のラインプロファイル周波数を算出することが好ましい。上述した縞模様の干渉パターンを採用した場合、基本的にＹ軸方向に配列された画素の画素値は同じであるため、再構築画像においてＸ軸方向に並んだ複数の画素の画素値のラインプロファイル周波数を目標値に合わせ込むだけで、ミラーの反射面の回転角度の調整が完了するためである。
【００１２】
なお、Ｘ軸方向に並んだ複数の画素の画素値のラインプロファイル周波数は、請求項４に記載したように、Ｘ軸方向に沿って並んだ任意の一列の画素列の画素値から算出しても良いし、請求項５に記載したように、Ｙ軸方向に沿って並んだ画素列毎に平均画素値を算出し、Ｘ軸方向に沿って各画素列毎の平均画素値から算出しても良い。
【００１３】
請求項６に記載したように、制御手段は、参照光と物体光との異なる位相差の中で、任意の１つだけの位相差の参照光と物体光とが入射される画素の画素値からなる再構築画像に関して、ラインプロファイル周波数を算出するようにしても良い。再構築画像は、上述したように、同じ位相差の参照光と物体光とが入射される画素の画素値からなる。同じ位相差の参照光と物体光とが入射される画素は離れており、その間には異なる位相差の参照光と物体光とが入射される画素が介在する。従って、ある位相差の参照光と物体光とが入射される画素の画素値からなる再構築画像のラインプロファイル周波数が目標値になったときには、参照光と物体光との位相差の変化の周期が、一連の異なる位相差の参照光と物体光とが入射されるべき画素間の間隔に合致しているとみなすことができる。従って、１つの位相差の参照光と物体光とが入射される画素の画素値からなる再構築画像のラインプロファイル周波数が目標値となれば、必然的に、他の位相差の参照光と物体光とが入射される画素の画素値からなる再構築画像のラインプロファイル周波数も目標値になっていると考えられる。
【００１４】
請求項７に記載したように、制御手段は、被測定物体が存在しない状態で撮像手段の受光面に形成される干渉パターンを記録したときに、その干渉パターンにおける干渉縞が、Ｙ軸方向に対して傾斜しているか否かを判別し、傾斜している場合には、ミラーの回転角度の調整方向と直交する方向において、ミラーの反射面のあおり角度の調整を行なうことが好ましい。上述した縞模様の干渉パターンは、撮像手段の受光面までの光の光路の長さをＹ軸方向では一定としつつ、Ｘ軸方向において変化させることによって得られる。干渉パターンにおける干渉縞がＹ軸方向に対して傾斜している状態は、Ｙ軸方向においても光路長が異なっている状態である。従って、干渉パターンの干渉縞が、Ｙ軸方向に対して傾斜している場合には、ミラーの回転角度の調整方向と直交する方向において、ミラーの反射面のあおり角度の調整を行なうことにより、修正することができる。なお、縞模様の干渉パターンを採用することにより、このようなミラーの反射面のあおり角度の調整も容易に行うことができる。
【００１５】
請求項８〜１０は、干渉画像記録装置における光学系の調整方法に関するものであるが、それらの内容は請求項１、２、及び７と類似するため、説明を省略する。
【００１６】
請求項１１に記載の干渉画像記録装置における光学系の調整方法では、あおり角度調整ステップによりミラーのあおり角度の調整が行なわれた後に、回転角度調整ステップによりミラーの回転角度の調整が行なわれることを特徴としている。回転角度調整ステップによるミラーの回転角度の調整は、干渉パターンにおける干渉縞が、Ｙ軸方向と平行であることを前提としているためである。ただし、ミラーの回転角度の調整において、その回転角度を微小角度ずつ変化させ、その都度、ラインプロファイル周波数と目標値との関係を確認するような場合には、そのラインプロファイル周波数と目標値との関係の確認の前に、あおり角度の調整を行なうことが好ましい。ミラーの反射面の回転角度の調整によってあおり角度が変化してしまう可能性もあるためである。
【発明を実施するための最良の形態】
【００１７】
以下、本発明の好ましい実施形態について、図面に基づいて説明する。図１は、本発明による干渉画像記録装置が組み込まれた干渉画像記録再生装置の全体構成を示す構成図である。
【００１８】
図１に示すように、本実施形態に係る干渉画像記録再生装置は、所定波長（例えば、５３２ｎｍ）のレーザ光を発光する光源１を備える。光源１によって発光されたレーザ光は、レンズ２ａ，２ｂに入射される。レンズ２ａ，２ｂに入射されたレーザ光は、これらのレンズ２ａ，２ｂが備えるコリメータ機能によって、ビーム径が拡大されるとともに、平行光に変換される。
【００１９】
レンズ２ａ，２ｂによって変換された平行光は、ビームスプリッタ３に入射される。ビームスプリッタ３は、入射された平行光を、干渉パターンを作成する際に基準となる参照光８と、被測定物体１０に向けて照射される物体光９とに分割する。ビームスプリッタ３を透過した参照光８は、参照光調整ミラー４により、ビームコンバイナ６に向けて反射される。
【００２０】
参照光調整ミラー４は、ミラーホルダに保持されている。当該ミラーホルダには、例えば複数のピエゾアクチュエータが設けられており、それら複数のピエゾアクチュエータの伸縮駆動によって、回転方向１６及びあおり方向１７において、参照光調整ミラー４の微小な（例えば数ミクロンオーダーの）角度調整が可能に構成されている。
【００２１】
一方、ビームスプリッタ３により反射された物体光９は、さらにミラー５によって被測定物体１０に向けて反射される。被測定物体１０を通過した物体光９は、ビームコンバイナ６に入射される。
【００２２】
ビームコンバイナ６に入射した参照光８及び物体光９は、撮像手段としてのＣＣＤ７の受光面に入射される。これにより、ＣＣＤ７の受光面に、参照光８と物体光９との干渉パターンが形成される。
【００２３】
ＣＣＤ７は、多数の画素が２次元配列されたものである。各画素は、例えば７．４μｍの画素サイズを有する。ＣＣＤ７の受光面に干渉パターンが形成されたとき、各画素は、形成された干渉パターンの濃淡度合（輝度）に応じた電気信号値（画素値）を出力する。このようにして、ＣＣＤ７は干渉パターンを検出し、被測定物体１０の画像情報である検出画像データ（各画素の画素値の集合）がコンピュータ１１に出力される。コンピュータ１１は、ＣＣＤ７の検出画像データを記録するとともに、公知のデジタルホログラフィ法を用いて、被計測物体１０の３次元再生像を計算により算出する。
【００２４】
ここで、本実施形態においては、上述したように、ＣＣＤ７の受光面には、多数の画素が２次元配列されており、当該２次元配列の一配列方向をＸ軸方向、その一配列方向に直交する配列方向をＹ軸方向として定義する。
【００２５】
そして、本実施形態では、物体光９は、ビームコンバイナ６を透過して、ＣＣＤ７の受光面にほぼ垂直に入射するが、ビームコンバイナ６によって反射される参照光８は、ＣＣＤ７の垂直方向から上述したＸ軸に向かって所定の角度だけ傾いて、斜めに入射するように、ビームコンバイナ６が配置されている。この結果、物体光９に関しては、ＣＣＤ７の受光面において位相の違いは生じない。しかし、参照光８に関しては、Ｙ軸方向に沿って配列された各画素には同じ位相値を有する参照光８が入射されるが、Ｘ軸方向に隣接する各画素には、異なる位相値の参照光が入射される。このため、参照光８と物体光９との位相差に応じてＣＣＤ７の受光面に形成される干渉パターンは、後述する図３（ａ）や図５（ａ）に示すように、Ｙ軸方向に同じ濃淡度合の筋が伸び、Ｘ軸方向においてはその筋の濃淡度合が変化する縞模様となる。本実施形態では、このような縞模様を呈する干渉パターンを用いるので、干渉パターンの模様の単純さから、後述する、参照光調整ミラーの回転方向１６及びあおり方向１７への角度調整をより容易に行なうことができる。なお、図１において、紙面の上下方向がＸ軸方向に対応し、奥行き方向がＹ軸方向に対応する。
【００２６】
チルト式位相シフトホログラフィ法では、一般的に、隣り合う画素において、参照光８と物体光９との位相差がπ／２ずつ変化するように設定される。この場合、干渉パターンは、互いに異なる４種類の位相値に位相シフトした４つの干渉パターンが組み合わされた状態となる。従って、１回の干渉パターンの記録で、被測定物体１０の再生像を得るために必要な情報（３種類以上の位相値に位相シフトされた干渉パターン）を得ることができる。
【００２７】
隣り合う画素における、参照光８と物体光９との位相差の変化分は、以下の式１によって表される。
（式１）
隣り合う画素の位相差の変化分＝（２π／λ）・ρｓｉｎθ
なお、λはレーザ光の波長、ρはＣＣＤ７の分解能（画素の画素サイズ）、及びθは物体光９に対する参照光８の入射角度である。
【００２８】
例えば、干渉パターンの記録のために一般的に用いられるＹＡＧレーザは、波長λが５３２ｎｍであり、ＣＣＤ７の画素サイズ７．４μｍである場合、隣り合う画素において、参照光８と物体光９との位相差がπ／２ずつ変化するためには、物体光９に対する参照光８の入射角度θは１．０３°と非常に微小な角度となる。
【００２９】
さらに、特許文献１に示される従来装置のように、Ｘ軸方向及びＹ軸方向の両方向において、隣り合う画素間で位相差を異ならせた干渉パターンを得るためには、参照光８をＸ軸方向及びＹ軸方向の各々の方向に向かって傾斜するように、参照光８の入射角度を設定する必要がある。この入射角度の設定は、所望の干渉パターンに対応する各画素毎の濃淡度合に対応する電気信号値（画素値）を目標値とし、各画素の画素値がその目標値に一致するように、ミラーが傾動駆動されることによりなされる。しかしながら、個々の画素の画素値をすべて目標値に一致させるように、ミラーの角度を調整することは容易なことではない。
【００３０】
そこで、本実施形態では、同じ位相差の参照光８と物体光９とが入射されるべき、言い換えれば、同じ位相値を有する参照光８が入射されるべき画素の画素値に基づいて、ラインプロファイル周波数を算出し、このラインプロファイル周波数が目標値となるように、参照光調整ミラー４の反射面の回転方向１６の角度を制御することとした。これにより、参照光８の入射角度が設定値に一致するようにミラーの反射面の角度の調整を容易に行うことができる。
【００３１】
以下、本実施形態における、干渉画像記録再生装置における光学系の調整手法に関して、図２のフローチャートに基づいて詳細に説明する。
【００３２】
まず、ステップＳ１１０では、カウンタＮをゼロにクリアする。続くステップＳ１２０では、被測定物体１０が存在しない状態で、ＣＣＤ７の受光面に干渉パターンが形成されたときに、ＣＣＤ７から出力される検出画像データを記録する。このとき、参照光８のみが、ＣＣＤ７の受光面において位相値が連続的に変化するので、参照光８と物体光９とがともに一様な平行光束であれば、干渉パターンにおける干渉縞の濃淡度合（輝度）は、以下の式２に示されるように、一定の周期で変化する。
（式２）
干渉縞の輝度＝Ａ１２＋Ａ２２＋２Ａ１Ａ２ｃｏｓ(Δφ)
なお、Ａ１、Ａ２は、参照光８と物体光９の振幅、Δφは、参照光８と物体光９との位相差である。
【００３３】
この様子を具体的に示したのが、図３（ａ），（ｂ）及び図５（ａ）、（ｂ）である。図３（ａ）は、参照光8の入射角度が設定値であり、Ｘ軸方向に隣り合う画素において、位相値がπ／２ずつずれているときの干渉パターンについて、受光面の一部の画素における濃淡度合を示したものであり、図３（ｂ）は、各画素の濃淡度合（輝度）に応じて各画素が出力する画素値の、Ｘ軸方向に沿ったラインプロファイルを示したものである。また、図５（ａ）は、参照光８の入射角度が設定値よりも大きくなったときの、受光面の一部の画素における濃淡度合を示したものであり、図５（ｂ）は、各画素の濃淡度合（輝度）に応じて各画素が出力する画素値の、Ｘ軸方向に沿ったラインプロファイルを示したものである。
【００３４】
図３（ａ）及び図５（ａ）とも、干渉縞の輝度は、それぞれ一定の周期で変化している。ただし、参照光８の入射角度が設定値よりも大きいとき、Ｘ軸方向において隣り合う画素の参照光８と物体光９との位相差は、式１からπ／２よりも大きくなる。このため、干渉縞の周期は、図３（ａ）の干渉パターンの干渉縞の周期よりも短くなっている。
【００３５】
次に、ステップＳ１３０では、参照光８と物体光９との位相差が同一となるべき、すなわち参照光８の位相値が同一となるべき画素の画素値を抽出し、抽出した順序で画素値を組み合わせて画像を再構築する。ただし、実際に再構築画像を形成しなくとも、抽出した画素値から、直接後述するラインプロファイルの測定を行なっても良い。
【００３６】
本実施形態では、参照光８の入射角度が設定値に一致して、狙いとする干渉パターンが得られているとき、Ｘ軸方向に隣り合う画素において、π／２ずつ参照光８の位相値が変化するので、参照光８の位相値が同一となるべき画素は、Ｘ軸方向において４画素おきに存在する。従って、４画素おきに画素値を抽出して再構築画像を形成する。
【００３７】
図４（ａ）〜（ｄ）及び図６（ａ）〜（ｄ）は、再構築画像の例を示すものである。具体的には、図４（ａ）〜（ｄ）は、図３（ａ）に示す干渉パターンが得られたときの、４ｎ列、４ｎ+１列、４ｎ+２列、及び４ｎ+３列（ｎ＝０，１，２，…）の画素の画素値からそれぞれ形成された再構築画像を示すものである。また、図６（ａ）〜（ｄ）は、図５（ａ）に示す干渉パターンが得られたときの、４ｎ列、４ｎ+１列、４ｎ+２列、及び４ｎ+３列（ｎ＝０，１，２，…）の画素の画素値からそれぞれ形成された再構築画像を示すものである。
【００３８】
図４（ａ）〜（ｄ）に示すように、物体光９に対する参照光８の入射角度が設定値通りであり、狙いとする干渉パターンが得られているときには、再構築画像を形成する各画素の画素値は同一となる。一方、図６（ａ）〜（ｄ）に示すように、参照光８の入射角度が設定値からずれている場合には、再構築画像を形成する各画素の画素値は同一とはならない。
【００３９】
ステップＳ１４０では、再構築画像のＸ軸方向に沿った複数の画素の画素値のラインプロファイルを測定する。なお、ラインプロファイルは、Ｘ軸方向に沿って並んだ任意の一列の画素列の画素値から測定しても良いし、Ｙ軸方向に沿って並んだ画素列毎に平均画素値を算出し、Ｘ軸方向に沿って各画素列毎の平均画素値から測定しても良い。また、本実施形態では、上述したように縞模様の干渉パターンを採用しているので、基本的にＹ軸方向に配列された画素の画素値は同じである。従って、再構築画像においてＸ軸方向に並んだ複数の画素の画素値のラインプロファイルを測定し、後述する手法に従って、ラインプロファイルの周波数を目標値に合わせ込むだけで、参照光調整ミラー４の回転方向１６の角度調整が完了する。
【００４０】
この測定されるラインプロファイルの例を、図７（ａ）〜（ｄ）に示す。図７（ａ）〜（ｄ）に示すように、参照光８の入射角度が設定値に一致しているときには、再構築画像の各画素の画素値は同一であるため、ラインプロファイルの周波数はゼロとなる。一方、参照光８の入射角度が設定値からずれている場合には、画素値のラインプロファイルは周期的なものとなる。そして、図７（ａ）〜（ｄ）に示すように、入射角度が設定値に近い場合（設定値±Ａ°の場合）、設定値から遠い場合（設定値±Ｂ°の場合）に比較して、ラインプロファイル周波数は低下する。
【００４１】
続くステップＳ１５０では、ステップＳ１４０にて測定したラインプロファイルから、そのラインプロファイルの周波数ＦＮを算出する。そして、ステップＳ１６０において、ラインプロファイル周波数ＦＮが目標値（ゼロ）に一致しているか否かを判定する。なお、目標値は、ゼロを中心とした所定の範囲として設定しても良い。
【００４２】
ステップＳ１６０において、ラインプロファイル周波数ＦＮが目標値に一致していると判定された場合、参照光８の入射角度が設定値に一致しており、狙いとする干渉パターンが得られているとみなされるので、処理を終了する。一方、ステップＳ１６０において、ラインプロファイル周波数ＦＮが目標値に一致していないと判定された場合、ステップＳ１７０の処理に進む。
【００４３】
ステップＳ１７０では、カウンタＮの値がゼロであるか否かを判定する。カウンタＮの値がゼロであると判定された場合、参照光調整ミラー４の最初の回転方向１６への角度調整であるため、ステップＳ１８０に進んで、参照光調整ミラー４を、予め定めた回転方向１６のプラス方向へ所定の微小角度αN°だけ回転させる。そして、ステップＳ２２０において、カウンタＮの値をインクリメントし、再度、ステップＳ１２０〜ステップＳ１６０までの処理を実行する。
【００４４】
ステップＳ１８０における参照光調整ミラー４の角度調整によっても、再度実行されたステップＳ１６０において、ラインプロファイル周波数は目標値に一致しないと判定された場合、ステップＳ１７０の判定処理において否定判定されるので、ステップＳ１９０の処理が実行される。ステップＳ１９０では、今回の処理で算出したラインプロファイル周波数ＦＮから前回の処理で算出したラインプロファイル周波数ＦＮ−１を減算した結果が、ゼロより小さいか否かを判定する。すなわち、今回の処理で算出したラインプロファイル周波数ＦＮが前回の処理で算出したラインプロファイル周波数ＦＮ−１よりも低下しているか否かを判定するのである。
【００４５】
上述したように、参照光８の入射角度が設定値に近づくほど、再構築画像から算出されるラインプロファイル周波数は低下し、設定値に一致したとき、ラインプロファイル周波数はゼロとなる。このため、ステップＳ１９０において、今回の処理で算出したラインプロファイル周波数ＦＮが前回の処理で算出したラインプロファイル周波数ＦＮ−１よりも低下していると判定された場合、参照光８の入射角度は設定値に近づいているとみなすことができる。そのため、この場合には、ステップＳ２００に進んで、前回の調整と同じ方向に所定の微小角度αN°だけ参照光調整ミラー４を回転させる。
【００４６】
一方、ステップＳ１９０において、今回の処理で算出したラインプロファイル周波数ＦＮが前回の処理で算出したラインプロファイル周波数ＦＮ−１よりも高くなったと判定された場合、参照光８の入射角度は設定値から逆に離れているか、設定値よりも小さくなったとみなすことができる。そのため、この場合には、ステップＳ２１０に進んで、前回の調整と逆の方向に、ミラー4の回転角度が次第に小さくなる角度（例えば前回の処理での移動角度αN-1°からミラー4の調整機構の最小分解能β°だけ減じた角度）で参照光調整ミラー４を回転させる。
【００４７】
上述した処理を、ラインプロファイル周波数ＦＮがゼロになるまで繰り返すことで、参照光８の入射角度を設定値に調整することができる。
【００４８】
なお、上述した実施形態において、ラインプロファイルの測定及びラインプロファイル周波数の算出は、４種類の再構築画像それぞれについて実施しなくとも良く、参照光８と物体光９との４種類の位相差の中で、任意の１つだけの位相差の参照光８と物体光９とが入射される画素の画素値からなる再構築画像に関して、ラインプロファイル周波数を算出するようにしても良い。
【００４９】
再構築画像は、上述したように、同じ位相差の参照光８と物体光９とが入射される画素の画素値からなる。同じ位相差の参照光８と物体光９とが入射される画素はＸ軸方向において離れており、その間には異なる位相差の参照光８と物体光９とが入射される画素が介在する。従って、ある１つの位相差の参照光８と物体光９とが入射される画素の画素値からなる再構築画像のＸ軸方向に並んだ画素の画素値のラインプロファイル周波数が目標値になったときには、参照光８と物体光９との位相差の変化の周期が、一連の４種類の位相差の参照光８と物体光９とが入射されるべき４画素間の間隔に合致しているとみなすことができる。従って、１つの位相差の参照光８と物体光９とが入射される画素の画素値からなる再構築画像のラインプロファイル周波数が目標値となれば、必然的に、他の位相差の参照光８と物体光９とが入射される画素の画素値からなる再構築画像のラインプロファイル周波数も目標値になっていると考えられるためである。
【００５０】
また、上述した実施形態では、参照光８の入射角度を設定値に一致させるために、参照光調整ミラー４の回転方向１６の角度調整を行なう手法について説明した。しかしながら、参照光調整ミラー４は、図１に示すあおり方向１７において角度ずれが生じる場合もある。
【００５１】
上述した縞模様の干渉パターンは、ＣＣＤ７の受光面までの光の光路の長さをＹ軸方向では一定としつつ、Ｘ軸方向のみにおいて変化させることによって得られるものである。しかし、参照光調整ミラー４の角度があおり方向１７においてずれると、Ｙ軸方向における光路長さも異なることになる。この場合、干渉パターンの干渉縞１２は、図８に示すように、Ｙ軸方向に対して傾斜した状態となる。
【００５２】
このため、被測定物体が存在しない状態でＣＣＤ７の受光面に形成される干渉パターンを記録したときに、その干渉パターンにおける干渉縞が、Ｙ軸方向に対して傾斜しているか否かを画像処理により判別し、傾斜している場合には、参照光調整ミラー４をあおり方向１７において角度調整する。干渉パターンにおける干渉縞がＹ軸方向に対して傾斜しているか否かは、例えば、Ｙ軸方向において、同一画素値を出力している画素が、Ｙ軸方向に沿って並んでおらず、Ｘ軸方向に序々に遷移しているか否かにより判別することができる。
【００５３】
このようなあおり方向１７の角度調整を行なうことにより、図８に示すようにＹ軸に対して傾斜した干渉縞１２を、Ｙ軸と平行に伸びるように修正することができる。
【００５４】
上述したあおり方向１７の角度調整は、参照光調整ミラー４の回転方向１６の角度調整よりも先に行なわれることが好ましい。参照光調整ミラー４の回転方向１６の角度調整は、干渉パターンにおける干渉縞が、Ｙ軸方向と平行であることを前提としているためである。ただし、参照光調整ミラー４の回転方向１６の角度調整において、その回転角度を微小角度αＮ°ずつ変化させ、その都度、ラインプロファイル周波数ＦＮと目標値との関係を確認する場合、そのラインプロファイル周波数ＦＮと目標値との関係の確認の前に、あおり方向１７の角度調整を行なうことが好ましい。参照光調整ミラーの回転方向１６の角度調整によってあおり方向１７の角度が変化してしまう可能性もあるためである。
【図面の簡単な説明】
【００５５】
【図１】実施形態に係わる干渉画像記録再生装置の全体構成を示す構成図である。
【図２】干渉画像記録再生装置における光学系の調整処理手順を示すフローチャートである。
【図３】（ａ）は、参照光が設定入射角度であり、Ｘ軸方向に隣り合う画素において、参照光の位相値がπ／２ずつずれているときの干渉パターンについて、受光面の一部の画素における濃淡度合を示した図であり、（ｂ）は、各画素の濃淡度合（輝度）に応じて各画素が出力する画素値の、Ｘ軸方向に沿ったラインプロファイルを示した図である。
【図４】（ａ）〜（ｄ）は、図３（ａ）に示す干渉パターンが得られたときの、４ｎ列、４ｎ+１列、４ｎ+２列、及び４ｎ+３列（ｎ＝０，１，２，…）の画素の画素値からそれぞれ形成された再構築画像を示す図である。
【図５】（ａ）は、参照光の入射角度が設定値よりも大きくなったときの、受光面の一部の画素における濃淡度合を示した図であり、（ｂ）は、各画素の濃淡度合（輝度）に応じて各画素が出力する画素値の、Ｘ軸方向に沿ったラインプロファイルを示した図である。
【図６】（ａ）〜（ｄ）は、図５（ａ）に示す干渉パターンが得られたときの、４ｎ列、４ｎ+１列、４ｎ+２列、及び４ｎ+３列（ｎ＝０，１，２，…）の画素の画素値からそれぞれ形成された再構築画像を示す図である。
【図７】（ａ）〜（ｄ）は、４ｎ列、４ｎ+１列、４ｎ+２列、及び４ｎ+３列（ｎ＝０，１，２，…）の画素の画素値から形成された各々の再構築画像から測定されるラインプロファイルを示す図である。
【図８】参照光調整ミラー４が、あおり方向１７において角度ずれが生じる場合の、干渉パターンの様子の一例を示す図である。
【符号の説明】
【００５６】
１  光源
２ａ，２ｂ  レンズ
３  ビームスプリッタ
４  参照光調整ミラー
５  ミラー
６  ビームコンバイナ
７  ＣＣＤ
８  参照光
９  物体光
１０  被計測物体
１１  コンピュータ
【図１】
2010145843.tif 000003
【図２】
2010145843.tif 000004
【図３】
2010145843.tif 000005
【図４】
2010145843.tif 000006
【図５】
2010145843.tif 000007
【図６】
2010145843.tif 000008
【図７】
2010145843.tif 000009
【図８】
2010145843.tif 000010